(57)【特許請求の範囲】
【請求項１】
熱風を送出するカールドライヤー本体に取付けられ、この熱風を吹出して髪に当てさせる吹出し口を有する筒状体と、この筒状体の周方向の一部領域に設けられ、髪を梳る毛体と、この領域の周方向端縁部に沿って設けられ、髪を引き上げるとき、髪を当てて抜き出しにくくする球体よりなる引っ掛け部を前記毛体の高さより低い位置に有する抜け止め部材からなるカールドライヤーのアタッチメント。
【請求項２】
熱風を送出するカールドライヤー本体に取付けられ、この熱風を吹出して髪に当てさせる吹出し口を有する筒状体と、この筒状体の周方向の一部領域に設けられ、髪を梳る毛体と、この領域の周方向端縁部に沿って設けられ、髪を引き上げるとき、髪を当てて抜き出しにくくする球体よりなる引っ掛け部を前記毛体の高さより低い位置に有する抜け止め部材と、前記筒状体の毛体を有しない部分に、前記抜け止め部材の列に隣接して延びるように設けられ、髪を筒状体表面から離し、髪の流れを滑らかにする凸条体からなるカールドライヤーのアタッチメント。
【発明の詳細な説明】
【０００１】
【発明の属する技術分野】
本発明は、髪を乾かすとともに、カールさせるために使用されるカールドライヤーのアタッチメントに関する。
【０００２】
【発明が解決しようとする課題】
この種のアタッチメントにおいて、筒状体の一側面に毛体を設けたものが用いられている。この構成は、ブラッシングとカールの両方の用途に適するものであって、例えば、髪の先端部のみを外側あるいは内側にカールさせた髪型を形成する場合に使用される。このアタッチメントで、髪の先端部をカールさせる場合、髪は筒状体に１巻程度巻付けるだけであるので、髪先端が筒状体から離れやすく、使いにくいという欠点がある。また、巻付けた髪を外す場合、あるいはブラッシング時に髪に対して筒状体をロールさせる場合に、筒状体の毛体を有しない部分に濡れた髪が接合し、髪が流れにくくなり、痛みを生じることがある。
【０００３】
本発明は、これらの不都合を解消し、カールする場合に髪の先端部を離れにくくし、また、髪の流れを滑らかにすることを目的としてなされたものである。
【０００４】
【課題を解決するための手段】
本発明は、毛体の端縁部に、引っ掛け部を有する抜け止め部材を設け、カールする際、髪の先端部がここに引っ掛けられ抜け出しにくくなるようにして、カールを容易に行なえるようにしたものである。
【０００５】
また、毛体の端縁部付近に、凸条体を設け、濡れた髪が筒状体に密接しないようにして、髪の流れを滑らかにしたものである。
【０００６】
【発明の実施の形態】
すなわち、本発明は、熱風を送出するカールドライヤー本体に取付けられ、この熱風を吹出して髪に当てさせる吹出し口を有する筒状体と、この筒状体の周方向の一部領域に設けられ、髪を梳る毛体と、この領域の周方向端縁部に沿って設けられ、髪を引き上げるとき、髪を当てて抜き出しにくくする引っ掛け部を前記毛体の高さより低い位置に有する抜け止め部材からなるカールドライヤーのアタッチメントである。
【０００７】
この引っ掛け部の形状は、髪を引き上げたときに引っ掛かるものであれば任意であるが、例えば、棒体先端に球体を設けた形状が、簡単で髪を傷めにくいいので適当である。
【０００８】
また、本発明は、熱風を送出するカールドライヤー本体に取付けられ、この熱風を吹出して髪に当てさせる吹出し口を有する筒状体と、この筒状体の周方向の一部領域に設けられ、髪を梳る毛体と、前記筒状体の毛体を有しない部分に設けられ、髪を筒状体表面から離し、髪の流れを滑らかにする凸条体からなるカールドライヤーのアタッチメントを含む。
【０００９】
この凸条体の形状は、髪が筒状体の表面に広く接することを防ぐものであれば任意であり、筒状体の表面から突出して長く延びる形状であればよい。
【００１０】
前記抜け止め部材、凸条体は、一方のみを設けた構成も、両方を設けた構成も可能である。
【００１１】
前記抜け止め部材、凸条体は、別個の部品として筒状体に取付けることも可能であるが、毛体と一体に形成すると製造上有利である。毛体は、通常、軟質合成樹脂、ゴム等で、１のシート上に一体に形成され、このシートを筒状体に沿って接合させるようにして取付ける構造とされるので、このシートに、抜け止め部材又は凸条体、あるいはこれら両方を形成し、筒状体に取付ける構成とすると、製造時に新たな作業を付加することが不要となる。
【００１２】
【実施例】
以下、本発明を図示する実施例について具体的に説明する。
【００１３】
このアタッチメント１０において、筒状体１１は、基部１２が、カールドライヤー本体１３に着脱可能に取付けられ、ここから内部にカールドライヤー本体１３が送出する熱風を受け入れる。筒状体１１は、基部１１付近及び先端部に吹出し口１４、１５をそれぞれ有し、さらに、周方向の約半分を占める領域に、スリット状の吹出し口１６，…を有し、これらから熱風を吹出す。
【００１４】
毛体１７，…は、１の軟質合成樹脂製シート１８に、一体に形成され、このシート１８を筒状体１１に接合するようにして取付けることにより、周方向の約半分を占める領域に位置し、すなわちスリット状の吹出し口１６，…部分に重なるようにされる。このシート１８には、多数の吹出し口１９，…が形成され、これらは筒状体１１の吹出し口１６，…と重なり、熱風を吹出す。
【００１５】
抜け止め部材２０，…が、シート１８の毛体１７，…の領域に沿って１列に形成され、筒状体１１に取付けたとき、毛体１７，…の領域の周方向端縁部に沿って延びる。各抜け止め部材２０は、リブを有する棒体２１の先端に球体よりなる引っ掛け部２２を設けてなり、この引っ掛け部２２は毛体１７の高さより低い位置とされている。このため、各抜け止め部材２０，…間に入った髪を引き上げると、引っ掛け部２２に当って、抜き出しにくくなっている。
【００１６】
凸条体２３，２３は、シート１８の両端を長く延ばして、筒状体１１に取付けたとき、筒状体１１に形成された長孔２４，２４から突出させることにより形成され、筒状体１１の毛体を有しない部分に、抜け止め部材２０，…の列に隣接し延びるように設けられている。
【００１７】
このアタッチメント１０は、以上の構成であり、次のように、通常のアタッチメントとまったく同様にして使用される。すなわち、髪２５の先端部をカールさせる場合は、髪を図６に示すように、このアタッチメント１０に巻付ける。このとき、髪先端が抜け止め部材２０，…に引っ掛かり、抜けにくいので、容易に巻付けることができる。また、巻付けた髪を外す場合、あるいはブラッシング時に髪に対して筒状体をロールさせる場合には、凸条体２３，２３により、髪２５が濡れていても筒状体１１表面に長く接合することが防止されるので、髪が容易に流れ、痛みを感じることがない。なお、この場合髪２５は、毛体１７，…部分では、吹出し口１９，…から吹出す熱風により、接合して流れが妨げられることはない。
【００１８】
【発明の効果】
本発明のアタッチメントは、上述のように、抜け止め部材を有するものので、毛先が離れにくく、髪を容易に巻付けることができる。また、凸条体を有するものでは、濡れた髪が筒状体に長く密接することが防止され、髪が滑らかに流れるものとなる。
【００１９】
さらに、抜け止め部材や凸条体を、毛体と一体に形成すると、部品数の増加が防止され、かつ、毛体の取付けと同時にこれらの取付けも行なわれるので、製造作業が効率的となる。
【図面の簡単な説明】
【図１】本発明の一実施例の正面図である。
【図２】同例の側面図である。
【図３】同例の背面図である。
【図４】図１のＡ−Ａ線断面図である。
【図５】図１のＢ−Ｂ線断面図である。
【図６】図１のＣ−Ｃ線断面図である。
【符号の説明】
１０…アタッチメント、１１…筒状体、１２…基部、１３…カールドライヤー本体、１４，１５，１６…吹出し口、１７…毛体、１８…シート、１９…吹出し口、２０…抜け止め部材、２１…棒体、２２…引っ掛け部、２３…凸条体、２４…長孔、２５…髪。
【図１】
0003627166.tif 000002
【図２】
0003627166.tif 000003
【図３】
0003627166.tif 000004
【図４】
0003627166.tif 000005
【図５】
0003627166.tif 000006
【図６】
0003627166.tif 000007